(57)【要約】【課題】駆動パルスの電圧供給方法を改善して低電圧駆動をすることができるプラズマディスプレイ装置及びその駆動方法を提供する。【解決手段】データ電極を備えるプラズマディスプレイパネルと、アドレス期間において前記データ電極に印加させるデータパルスを、基底電圧レベルより高い第１電圧と、該第１電圧レベルより高い第２電圧との和に上昇させる駆動部とを備える。【選択図】図１
2007072472.tif 000002
【特許請求の範囲】
【請求項１】
データ電極を備えるプラズマディスプレイパネルと、
アドレス期間において前記データ電極に印加させるデータパルスを、基底電圧レベルより高い第１電圧と、該第１電圧レベルより高い第２電圧との和に上昇させる駆動部と
を備えることを特徴とするプラズマディスプレイ装置。
【請求項２】
前記駆動部は、
前記アドレス期間において前記データ電極に基底電圧レベルより高い前記第１電圧を供給し、
前記第１電圧レベルより高い前記第２電圧を供給することを特徴とする請求項１に記載のプラズマディスプレイ装置。
【請求項３】
前記駆動部は、
前記データ電極に前記第２電圧を供給する第２電圧供給部と、
前記第２電圧供給部と前記データ電極との間に形成されて、前記第２電圧及び基底電圧の供給を制御する電圧供給制御部と、
前記第２電圧供給部が供給する第２電圧を分圧して格納するエネルギー格納部と
を備えることを特徴とする請求項２に記載のプラズマディスプレイ装置。
【請求項４】
前記駆動部は、
前記第２電圧供給部及び前記エネルギー格納部が供給する電圧を、所定のスイッチング動作を介して前記データ電極に出力する駆動信号出力部と、
前記電圧供給制御部及び前記エネルギー格納部と接続し、前記データ電極に基底電圧を供給する基底電圧供給部と
をさらに備えることを特徴とする請求項３に記載のプラズマディスプレイ装置。
【請求項５】
前記電圧供給制御部は、直列接続した第１スイッチ部及び第２スイッチ部を備え、
前記エネルギー格納部は、直列接続した第１エネルギー格納部及び第２エネルギー格納部を備え、
前記第２電圧供給部は、前記第１スイッチ部の一端、前記第１エネルギー格納部の一端及び前記駆動信号出力部の一端に共通接続し、
前記基底電圧供給部は、前記第１スイッチの他端、前記第２スイッチの一端及び前記第２エネルギー格納部の他端と共通接続し、
前記駆動信号出力部の他端は、前記第２スイッチの他端、前記第１エネルギー格納部の他端及び前記第２エネルギー格納部の一端と共通接続することを特徴とする請求項４に記載のプラズマディスプレイ装置。
【請求項６】
前記第１スイッチ部がターンオンすれば、前記データ電極に前記第１電圧及び前記第２電圧が供給され、
前記第２スイッチ部がターンオンすれば、前記データ電極に前記基底電圧が供給されることを特徴とする請求項５に記載のプラズマディスプレイ装置。
【請求項７】
前記第１スイッチ部がターンオンする際、前記駆動信号出力部の他端に前記第１電圧が供給され、前記駆動信号出力部の一端に前記第２電圧が供給されることを特徴とする請求項６に記載のプラズマディスプレイ装置。
【請求項８】
前記電圧供給制御部は、直列接続した第３スイッチ部及び第４スイッチ部を備え、
前記エネルギー格納部は、直列接続した第３エネルギー格納部及び第４エネルギー格納部を備え、
前記第２電圧供給部は、前記第３エネルギー格納部の一端及び前記駆動信号出力部の一端に共通接続し、
前記基底電圧供給部は、前記第４スイッチ部の他端及び前記第４エネルギー格納部の他端と共通接続し、
前記駆動信号出力部の他端は、前記第３スイッチ部の他端及び前記第４スイッチ部の一端と共通接続することを特徴とする請求項４に記載のプラズマディスプレイ装置。
【請求項９】
前記第３スイッチ部がターンオンすれば、前記データ電極に前記第１電圧及び前記第２電圧が供給され、
前記第４スイッチ部がターンオンすれば、前記データ電極に前記基底電圧が供給されることを特徴とする請求項８に記載のプラズマディスプレイ装置。
【請求項１０】
前記第３スイッチ部がターンオンする際、前記駆動信号出力部の他端に前記第１電圧が供給され、前記駆動信号出力部の一端に前記第２電圧が供給されることを特徴とする請求項９に記載のプラズマディスプレイ装置。
【請求項１１】
前記駆動部は、
前記データ電極に前記第１電圧を供給する第１電圧供給部と、
前記データ電極に前記第２電圧を供給する第２電圧供給部と、
前記第１電圧供給部と前記第２電圧供給部との間に形成されて、前記第１電圧、前記第２電圧及び基底電圧の供給を制御する電圧供給制御部と、
を備えることを特徴とする請求項２に記載のプラズマディスプレイ装置。
【請求項１２】
前記駆動部は、
前記第１電圧供給部及び前記第２電圧供給部が供給する電圧を所定のスイッチング動作を介して前記データ電極に出力する駆動信号出力部と、
前記電圧供給制御部に接続し、前記データ電極に基底電圧を供給する基底電圧供給部と
をさらに備えることを特徴とする請求項１１に記載のプラズマディスプレイ装置。
【請求項１３】
前記電圧供給制御部は、直列接続した第５スイッチ部、第６スイッチ部及び第７スイッチ部を備え、
前記第２電圧供給部は、前記第５スイッチ部の一端及び前記駆動信号出力部の一端と共通接続し、
前記基底電圧供給部は、前記第５スイッチ部の他端及び前記第６スイッチ部の一端と共通接続し、
前記駆動信号出力部の他端は、前記第６スイッチ部の他端及び前記第７スイッチ部の一端と共通接続し、
前記第１電圧供給部は、前記第７スイッチ部の他端と接続することを特徴とする請求項１２に記載のプラズマディスプレイ装置。
【請求項１４】
前記第５スイッチ部及び前記第７スイッチ部がターンオンすれば、前記データ電極に前記第１電圧及び前記第２電圧が供給され、
前記第６スイッチ部がターンオンすれば、前記データ電極に前記基底電圧が供給されることを特徴とする請求項１３に記載のプラズマディスプレイ装置。
【請求項１５】
前記第５スイッチ部及び前記第７スイッチ部がターンオンする際、前記駆動信号出力部の他端に前記第１電圧が供給され、前記駆動信号出力部の一端に前記第２電圧が供給されることを特徴とする請求項１４に記載のプラズマディスプレイ装置。
【請求項１６】
データ電極を備えるプラズマディスプレイパネルと、
前記プラズマディスプレイパネルの無効エネルギーを回収し、アドレス期間において前記データ電極に印加させるデータパルスの電圧レベルを、第１電圧レベルと、該第１電圧レベルより高い第２電圧レベルとに段階的に上昇させる駆動部と
を備えることを特徴とするプラズマディスプレイ装置。
【請求項１７】
前記駆動部は、
前記プラズマディスプレイパネルの無効エネルギーを格納するエネルギー格納部と、
前記エネルギー格納部に格納されたエネルギーの一部を共振により前記データ電極に供給する第１エネルギー供給回収制御部と、
前記データ電極の電圧を第１電圧に維持する第１電圧供給部と、
前記第１電圧が供給される状態において、前記エネルギー格納部に格納されたエネルギーを共振により前記データ電極に供給する第２エネルギー供給回収制御部と、
前記第１電圧が供給される状態において、前記データ電極の電圧を第２電圧に維持する第２電圧供給部と
を備えることを特徴とする請求項１６に記載のプラズマディスプレイ装置。
【請求項１８】
前記駆動部は、
前記第１電圧供給部又は前記第２電圧供給部が供給する電圧を所定のスイッチング（Ｓｗｉｔｃｈｉｎｇ）動作を介して前記データ電極に出力する駆動信号出力部と、
前記データ電極の電圧を基底電圧レベルに維持させるための基底電圧供給部と
をさらに備えることを特徴とする請求項１７に記載のプラズマディスプレイ装置。
【請求項１９】
前記エネルギー格納部は、第１エネルギー格納部、第２エネルギー格納部及び第３エネルギー格納部を備え、
前記第１電圧供給部は、第１電圧源及び前記第１電圧源の供給を制御するための第１スイッチを備え、
第１エネルギー格納部は、一端が、前記第１エネルギー供給回収制御部の一端及び前記第２エネルギー格納部の他端と共通接続し、他端は、基底電圧源に接続し、
前記第１エネルギー供給回収制御部の他端は、前記第１スイッチの他端、前記基底電圧供給部及び前記駆動信号出力部の他端と共通接続し、
前記第１スイッチの一端は、前記第１電圧源、前記第２エネルギー格納部の一端及び前記第３エネルギー格納部の他端と共通接続し、
前記第３エネルギー格納部の一端は、前記第２エネルギー供給回収制御部の一端と接続し、
前記第２エネルギー供給回収制御部の他端は、前記第２電圧供給部及び前記駆動信号出力部の一端に共通接続することを特徴とする請求項１８に記載のプラズマディスプレイ装置。
【請求項２０】
前記第１エネルギー供給回収制御部のスイッチがターンオンすれば、前記データ電極にエネルギーが供給され、前記第１電圧供給部の第１スイッチ部がターンオンすれば、前記データ電極に前記第１電圧が供給され、
前記第２エネルギー供給回収制御部のスイッチがターンオンすれば、前記データ電極にエネルギーが供給され、前記第２電圧供給部のスイッチがターンオンすれば、前記データ電極に第２電圧が維持されることを特徴とする請求項１９に記載のプラズマディスプレイ装置。
【請求項２１】
前記第１電圧は、前記駆動信号出力部の他端に供給され、前記第２電圧は、駆動信号出力部の一端に供給されることを特徴とする請求項２０に記載のプラズマディスプレイ装置。
【請求項２２】
データ電極を備えるプラズマディスプレイ装置の駆動方法において、
アドレス期間において前記データ電極に印加されるデータパルスが基底電圧レベルより高い第１電圧と、該第１電圧レベルより高い第２電圧との和に上昇することを特徴とするプラズマディスプレイ装置の駆動方法。
【請求項２３】
前記プラズマディスプレイパネルの無効エネルギーを回収し、前記データ電極に前記データパルスを供給することを特徴とする請求項２２に記載のプラズマディスプレイ装置の駆動方法。
【請求項２４】
前記プラズマディスプレイパネルの無効エネルギーを格納するステップと、
アドレス期間において前記エネルギー格納部に格納されたエネルギーを共振により前記データ電極に供給し、第１電圧に上昇するステップと、
前記アドレス期間において前記データ電極の電圧を第１電圧に維持するステップと、
前記アドレス期間において前記第１電圧が供給される状態において、前記エネルギー格納部に格納されたエネルギーを共振により前記データ電極に供給し、第２電圧に上昇するステップと、
前記アドレス期間において前記第１電圧が供給される状態において、前記データ電極の電圧を第２電圧に維持するステップと
を含むことを特徴とする請求項２３に記載のプラズマディスプレイ装置の駆動方法。
【発明の詳細な説明】
【技術分野】
【０００１】
本発明は、ディスプレイ装置に関し、さらに詳細には、プラズマディスプレイ装置及びその駆動方法に関する。
【背景技術】
【０００２】
一般に、プラズマディスプレイパネルは、前面パネルと後面パネルとの間に形成された隔壁が１つの単位放電セルをなすものであって、各セル内には、ネオン（Ｎｅ）、ヘリウム（Ｈｅ）又はネオン及びヘリウムの混合気体（Ｎｅ＋Ｈｅ）のような主放電気体と少量のキセノンとを含有する不活性ガスが充填されている。上述した単位放電セルは、複数個が集まって１つの画素をなす。例えば、赤色（Ｒｅｄ，Ｒ）セル、緑色（Ｇｒｅｅｎ，Ｇ）セル、青色（Ｂｌｕｅ，Ｂ）セルが集まって１つのピクセルをなす。
【０００３】
このような単位放電セルに高周波電圧が印加されて放電される際、不活性ガスは、真空紫外線（Ｖａｃｕｕｍ  Ｕｌｔｒａ  Ｖｉｏｌｅｔ  ｒａｙｓ）を発生し、隔壁の間に形成された蛍光体を発光させて画像を具現する。
【０００４】
プラズマディスプレイパネルは、複数の電極、例えばスキャン電極Ｙ、サステイン電極Ｚ、データ電極Ｘを備え、このようなプラズマディスプレイパネルの電極に駆動電圧を供給するための駆動部がそれぞれの電極に接続される。
【０００５】
各駆動部は、プラズマディスプレイパネルを駆動する際、所定期間において、例えばリセット期間においてリセットパルス、アドレス期間においてスキャンパルス、サステイン期間においてサステインパルスのような駆動パルスをプラズマディスプレイパネルの電極に供給して画像を具現する。このようなプラズマディスプレイ装置は、薄くて軽い構成が可能なので、現在、表示装置として注目されつつある。
【０００６】
ここで、このような複数の電極に上述した駆動部が所定の駆動電圧を供給して放電を発生させることで画像を表示するが、このような駆動部は、例えばデータ電極Ｘに所定の駆動パルス、一例として、アドレス期間において画像を表示する放電セルを選択するデータパルスを供給するデータ駆動部と、スキャン電極Ｙに所定の駆動パルス、一例として、アドレス期間において上述したデータパルスと同期して、画像を表示する放電セルを選択するスキャンパルスを供給するスキャン駆動部とを備える。
【０００７】
このような駆動部の一例として、データ電極Ｘを駆動するためのデータ駆動部は、熱に弱いだけでなく、スキャン電極Ｙを駆動するスキャンドライブ集積回路と、データ電極Ｘを駆動するデータドライバー集積回路とに含まれたスイッチング素子の動作に応じて、スキャン電極Ｙ又はデータ電極Ｘに印加される電圧の状態が変わるようになって、変位電流が発生するという問題がある。このような熱又は変位電流などの問題は、駆動部の回路損傷を加速化させるのみならず、回路の駆動特性を阻害させるという短所がある。
【０００８】
また、ここで、このような駆動部が電極に供給する電圧の大きさは、駆動部の動作特性において重大な要素であり、このような駆動部が供給する電圧の一例として、アドレス期間のデータパルスの電圧の絶対値が高くて、耐電圧特性の高い素子の使用により製造単価が上昇するだけでなく、消費電力が増加するという致命的な問題が発生する。
【０００９】
さらに、このような高電圧の駆動は、上述したように、脆弱な熱特性を有する駆動部に与える悪影響を増加させることから回路損傷を深刻化させ、かつプラズマディスプレイパネルの寿命を短縮させるという問題がある。
【００１０】
また、このような側面の他、駆動電圧が高まると、画質に影響を及ぼす因子は、蛍光体に強い影響を与えるようになって蛍光体の固着化を深化させるが、これは、プラズマディスプレイパネルが具現する画像の品質を低下させるという問題がある。
【発明の開示】
【発明が解決しようとする課題】
【００１１】
本発明は、上述の問題点に鑑みてなされたもので、その目的は、低電圧駆動により、消費電力を低減させるためのプラズマディスプレイ装置及びその駆動方法を提供することにある。
【課題を解決するための手段】
【００１２】
本発明の一実施の形態に係るプラズマディスプレイ装置は、データ電極を備えるプラズマディスプレイパネルと、アドレス期間において前記データ電極に印加させるデータパルスを、基底電圧レベルより高い第１電圧と、該第１電圧レベルより高い第２電圧との和に上昇させる駆動部とを備える。例えば、駆動部は、データ電極に第１電圧を供給した後、第１電圧及び第２電圧を同時に印加する。これにより、データパルスは、第１電圧まで上昇した後に第２電圧まで上昇する。
【００１３】
本発明の他の実施の形態に係るプラズマディスプレイ装置は、データ電極を備えるプラズマディスプレイパネルと、前記プラズマディスプレイパネルの無効エネルギーを回収し、アドレス期間において前記データ電極に印加させるデータパルスの電圧レベルを、第１電圧レベルと、該第１電圧レベルより高い第２電圧レベルとに段階的に上昇させる駆動部とを備える。
【００１４】
本発明の一実施の形態に係るデータ電極を備えるプラズマディスプレイ装置の駆動方法において、アドレス期間において前記データ電極に印加されるデータパルスが基底電圧レベルより高い第１電圧と、該第１電圧レベルより高い第２電圧との和に上昇することを特徴とする。
【発明の効果】
【００１５】
本発明のプラズマディスプレイ装置及びその駆動方法は、低電圧駆動により消費電力を減らし、駆動特性を向上させることができるという効果がある。また、素子を保護することができるという効果がある。
【発明を実施するための最良の形態】
【００１６】
以下、本発明の好ましい実施の形態を、添付図面に基づき詳細に説明する。
【００１７】
本発明の一実施の形態に係るプラズマディスプレイ装置は、データ電極を備えるプラズマディスプレイパネルと、アドレス期間において前記データ電極に印加させるデータパルスを、基底電圧レベルより高い第１電圧と、該第１電圧レベルより高い第２電圧との和に上昇させる駆動部とを備える。
【００１８】
前記駆動部は、前記アドレス期間において前記データ電極に基底電圧レベルより高い前記第１電圧を供給し、前記第１電圧レベルより高い前記第２電圧を供給することを特徴とする。
【００１９】
前記駆動部は、前記データ電極に前記第２電圧を供給する第２電圧供給部と、前記第２電圧供給部と前記データ電極との間に形成されて、前記第２電圧及び基底電圧の供給を制御する電圧供給制御部と、前記第２電圧供給部が供給する第２電圧を分圧して格納するエネルギー格納部とを備えることを特徴とする。
【００２０】
前記駆動部は、前記第２電圧供給部及び前記エネルギー格納部が供給する電圧を、所定のスイッチング動作を介して前記データ電極に出力する駆動信号出力部と、前記電圧供給制御部及び前記エネルギー格納部と接続し、前記データ電極に基底電圧を供給する基底電圧供給部とをさらに備えることを特徴とする。
【００２１】
前記電圧供給制御部は、直列接続した第１スイッチ部及び第２スイッチ部を備え、前記エネルギー格納部は、直列接続した第１エネルギー格納部及び第２エネルギー格納部を備え、前記第２電圧供給部が、前記第１スイッチ部の一端、前記第１エネルギー格納部の一端及び前記駆動信号出力部の一端に共通接続し、前記基底電圧供給部は、前記第１スイッチの他端、前記第２スイッチの一端及び前記第２エネルギー格納部の他端と共通接続し、前記駆動信号出力部の他端が、前記第２スイッチの他端、前記第１エネルギー格納部の他端及び前記第２エネルギー格納部の一端と共通接続することを特徴とする。
【００２２】
前記第１スイッチ部がターンオンすれば、前記データ電極に前記第１電圧及び前記第２電圧が供給され、前記第２スイッチ部がターンオンすれば、前記データ電極に前記基底電圧が供給されることを特徴とする。
【００２３】
前記第１スイッチ部がターンオンする際、前記駆動信号出力部の他端に前記第１電圧が供給され、前記駆動信号出力部の一端に前記第２電圧が供給されることを特徴とする。
【００２４】
前記電圧供給制御部は、直列接続した第３スイッチ部及び第４スイッチ部を備え、前記エネルギー格納部は、直列接続した第３エネルギー格納部及び第４エネルギー格納部を備え、前記第２電圧供給部が、前記第３エネルギー格納部の一端及び前記駆動信号出力部の一端に共通接続し、前記基底電圧供給部が、前記第４スイッチ部の他端及び前記第４エネルギー格納部の他端と共通接続し、前記駆動信号出力部の他端が、前記第３スイッチ部の他端及び前記第４スイッチ部の一端と共通接続することを特徴とする。
【００２５】
前記第３スイッチ部がターンオンすれば、前記データ電極に前記第１電圧及び前記第２電圧が供給され、前記第４スイッチ部がターンオンすれば、前記データ電極に前記基底電圧が供給されることを特徴とする。
【００２６】
前記第３スイッチ部がターンオンする際、前記駆動信号出力部の他端に前記第１電圧が供給され、前記駆動信号出力部の一端に前記第２電圧が供給されることを特徴とする。
【００２７】
前記駆動部は、前記データ電極に前記第１電圧を供給する第１電圧供給部と、前記データ電極に前記第２電圧を供給する第２電圧供給部と、前記第１電圧供給部と前記第２電圧供給部との間に形成されて、前記第１電圧、前記第２電圧及び基底電圧の供給を制御する電圧供給制御部と、を備えることを特徴とする。
【００２８】
前記駆動部は、前記第１電圧供給部及び前記第２電圧供給部が供給する電圧を所定のスイッチング動作を介して前記データ電極に出力する駆動信号出力部と、前記電圧供給制御部に接続し、前記データ電極に基底電圧を供給する基底電圧供給部とをさらに備えることを特徴とする。
【００２９】
前記電圧供給制御部は、直列接続した第５スイッチ部、第６スイッチ部及び第７スイッチ部を備え、前記第２電圧供給部が、前記第５スイッチ部の一端及び前記駆動信号出力部の一端と共通接続し、前記基底電圧供給部が、前記第５スイッチ部の他端及び前記第６スイッチ部の一端と共通接続し、前記駆動信号出力部の他端が、前記第６スイッチ部の他端及び前記第７スイッチ部の一端と共通接続し、前記第１電圧供給部が、前記第７スイッチ部の他端と接続することを特徴とする。
【００３０】
前記第５スイッチ部及び前記第７スイッチ部がターンオンすれば、前記データ電極に前記第１電圧及び前記第２電圧が供給され、前記第６スイッチ部がターンオンすれば、前記データ電極に前記基底電圧が供給されることを特徴とする。
【００３１】
前記第５スイッチ部及び前記第７スイッチ部がターンオンする際、前記駆動信号出力部の他端に前記第１電圧が供給され、前記駆動信号出力部の一端に前記第２電圧が供給されることを特徴とする。
【００３２】
本発明の他の実施の形態に係るプラズマディスプレイ装置は、データ電極を備えるプラズマディスプレイパネルと、前記プラズマディスプレイパネルの無効エネルギーを回収し、アドレス期間において前記データ電極に印加させるデータパルスの電圧レベルを、第１電圧レベルと、該第１電圧レベルより高い第２電圧レベルとに段階的に上昇させる駆動部とを備える。
【００３３】
前記駆動部は、前記プラズマディスプレイパネルの無効エネルギーを格納するエネルギー格納部と、前記エネルギー格納部に格納されたエネルギーの一部を共振により前記データ電極に供給する第１エネルギー供給回収制御部と、前記データ電極の電圧を第１電圧に維持する第１電圧供給部と、前記第１電圧が供給される状態において、前記エネルギー格納部に格納されたエネルギーを共振により前記データ電極に供給する第２エネルギー供給回収制御部と、前記第１電圧が供給される状態において、前記データ電極の電圧を第２電圧に維持する第２電圧供給部とを備えることを特徴とする。
【００３４】
前記駆動部は、前記第１電圧供給部又は前記第２電圧供給部が供給する電圧を所定のスイッチング（Ｓｗｉｔｃｈｉｎｇ）動作を介して前記データ電極に出力する駆動信号出力部と、前記データ電極の電圧を基底電圧レベルに維持させるための基底電圧供給部とをさらに備えることを特徴とする。
【００３５】
前記エネルギー格納部は、第１エネルギー格納部、第２エネルギー格納部及び第３エネルギー格納部を備え、前記第１電圧供給部が、第１電圧源及び前記第１電圧源の供給を制御するための第１スイッチを備え、第１エネルギー格納部が、一端は、前記第１エネルギー供給回収制御部の一端及び前記第２エネルギー格納部の他端と共通接続し、他端は、基底電圧源に接続し、前記第１エネルギー供給回収制御部の他端が、前記第１スイッチの他端、前記基底電圧供給部及び前記駆動信号出力部の他端と共通接続し、前記第１スイッチの一端が、前記第１電圧源、前記第２エネルギー格納部の一端及び前記第３エネルギー格納部の他端と共通接続し、前記第３エネルギー格納部の一端が、前記第２エネルギー供給回収制御部の一端と接続し、前記第２エネルギー供給回収制御部の他端が、前記第２電圧供給部及び前記駆動信号出力部の一端に共通接続することを特徴とする。
【００３６】
前記第１エネルギー供給回収制御部のスイッチがターンオンすれば、前記データ電極にエネルギーが供給され、前記第１電圧供給部の第１スイッチ部がターンオンすれば、前記データ電極に前記第１電圧が供給され、前記第２エネルギー供給回収制御部のスイッチがターンオンすれば、前記データ電極にエネルギーが供給され、前記第２電圧供給部のスイッチがターンオンすれば、前記データ電極に第２電圧が維持されることを特徴とする。
【００３７】
前記第１電圧は、前記駆動信号出力部の他端に供給され、前記第２電圧が、駆動信号出力部の一端に供給されることを特徴とする。
【００３８】
本発明の一実施の形態に係るデータ電極を備えるプラズマディスプレイ装置の駆動方法において、アドレス期間において前記データ電極に印加されるデータパルスが基底電圧レベルより高い第１電圧と、該第１電圧レベルより高い第２電圧との和に上昇することを特徴とする。
【００３９】
前記プラズマディスプレイパネルの無効エネルギーを回収し、前記データ電極に前記データパルスを供給することを特徴とする。
【００４０】
前記プラズマディスプレイパネルの無効エネルギーを格納するステップと、アドレス期間において前記エネルギー格納部に格納されたエネルギーを共振により前記データ電極に供給し、第１電圧に上昇するステップと、前記アドレス期間において前記データ電極の電圧を第１電圧に維持するステップと、前記アドレス期間において前記第１電圧が供給される状態において、前記エネルギー格納部に格納されたエネルギーを共振により前記データ電極に供給し、第２電圧に上昇するステップと、前記アドレス期間において前記第１電圧が供給される状態において、前記データ電極の電圧を第２電圧に維持するステップとを含むことを特徴とする。
【００４１】
添付した図面を参照し、本発明の実施の形態を詳細に説明する。
【００４２】
図１は、本発明のプラズマディスプレイ装置の一例を示す図である。
【００４３】
同図に示すように、本発明の一実施の形態に係るプラズマディスプレイ装置は、外部から入力される映像データを映像処理することにより画像が具現されるプラズマディスプレイパネル１００と、プラズマディスプレイパネル１００に形成された電極に駆動パルスを供給するための駆動部とを備えることができる。例えば、駆動部は、データ電極Ｘ１〜Ｘｍにデータを供給するためのデータ駆動部１２２と、スキャン電極Ｙ１〜Ｙｎを駆動するためのスキャン駆動部１２３と、共通電極であるサステイン電極Ｚを駆動するためのサステイン駆動部１２４と、それぞれの駆動部を制御するためのコントロール部１２１と、それぞれの駆動部１２２，１２３，１２４に必要な駆動電圧を供給するための駆動電圧発生部１２５とを備える。
【００４４】
プラズマディスプレイパネル１００は、前面基板（図示せず）と後面基板（図示せず）とが一定の間隔を隔てて合着し、前面基板には、一例として複数の電極例えば、スキャン電極Ｙ１〜Ｙｎ及びサステイン電極Ｚが対をなして形成され、後面基板には、スキャン電極Ｙ１〜Ｙｎ及びサステイン電極Ｚと交差するようにデータ電極Ｘ１〜Ｘｍが形成される。
【００４５】
データ駆動部１２２は、図示していない逆ガンマ補正回路、誤差拡散回路などにより逆ガンマ補正及び誤差拡散された後、サブフィールドマッピング回路により予め設定されたサブフィールドパターンにマッピングされたデータが供給される。このデータ駆動部１２２は、コントロール部１２１の制御により、データをサンプリングしラッチした後、そのデータに応じてデータパルスの電圧をデータ電極Ｘ１〜Ｘｍに供給する。
【００４６】
ここで、データ駆動部１２２は、一例として、アドレス期間においてデータ電極に印加させるデータパルスを基底電圧レベルより高い第１電圧と、前記第１電圧レベルより高い第２電圧との和に上昇させることができるが、これについて図５以下で後述する。
【００４７】
スキャン駆動部１２３は、コントロール部１２１の制御により、リセット期間の間、スキャン電極Ｙ１〜Ｙｎにリセット波形を印加し、前の画面に対応する放電セルを初期化する。すなわち、スキャン駆動部１２３は、リセット波形をスキャン電極Ｙ１〜Ｙｎに供給した後、アドレス期間においてスキャン基準電圧Ｖｓｃを供給し、スキャン基準電圧Ｖｓｃから負極性レベルに下降するスキャンパルスの電圧を供給してスキャン電極ラインをスキャンする。
【００４８】
また、スキャン駆動部１２３は、サステイン期間の間、アドレス期間において選択されたセルからサステイン放電をおこすサステインパルスをスキャン電極Ｙ１〜Ｙｎに供給する。
【００４９】
サステイン駆動部１２４は、コントロール部１２１の制御により、サステイン期間の間、スキャン駆動部１２３と交互に動作して、サステインパルスをサステイン電極Ｚに供給する。
【００５０】
コントロール部１２１は、垂直／水平同期信号を受信して各駆動部に必要なタイミング制御信号ＣＴＲＸ，ＣＴＲＹ，ＣＴＲＺを発生し、そのタイミング制御信号ＣＴＲＸ，ＣＴＲＹ，ＣＴＲＺを該当駆動部１２２，１２３，１２４に供給することによって、各駆動部１２２，１２３，１２４を制御する。データ駆動部１２２に印加されるタイミング制御信号ＣＴＲＸには、データをサンプリングするためのサンプリングクロック、ラッチ制御信号、エネルギー回収回路及び駆動スイッチ素子のオン・オフタイムを制御するためのスイッチ制御信号が含まれる。
【００５１】
スキャン駆動部１２３に印加されるタイミング制御信号ＣＴＲＹには、スキャン駆動部１２３内のエネルギー回収回路及び駆動スイッチ素子のオン・オフタイムを制御するためのスイッチ制御信号が含まれる。サステイン駆動部１２４に印加されるタイミング制御信号ＣＴＲＺには、サステイン駆動部１２４内のエネルギー回収回路及び駆動スイッチ素子のオン・オフタイムを制御するためのスイッチ制御信号が含まれる。
【００５２】
駆動電圧発生部１２５は、一例として、サステイン電圧Ｖｓ、スキャン基準電圧Ｖｓｃ、データ電圧Ｖａ、スキャン電圧−Ｖｙなどの各駆動部１２２，１２３，１２４において必要とする各種駆動電圧を発生する。このような駆動電圧は、放電ガスの組成や放電セル構造により変わることができる。
【００５３】
ここで、本発明の理解のため、プラズマディスプレイパネルの構造の一例を詳細に説明すれば、以下の図２の通りである。
【００５４】
図２は、本発明のプラズマディスプレイパネル構造の一例を示す図である。
【００５５】
同図に示すように、プラズマディスプレイパネルは、一例として、画像がディスプレイされる表示面である前面基板２０１にスキャン電極２０２，Ｙとサステイン電極２０３，Ｚとが対をなして形成された複数の維持電極対が配列された前面パネル２００、及び背面をなす後面基板２１１上に上述した複数の維持電極対と交差するように複数のデータ電極２１３，Ｘが配列された後面パネル２１０が一定距離を隔てて平行に結合される。
【００５６】
前面パネル２００は、一例として、１つの放電セルにおいて相互放電させ、セルの発光を維持するためのスキャン電極２０２，Ｙ及びサステイン電極２０３，Ｚ、すなわち透明なＩＴＯ物質で形成された透明電極２０２ａ，２０３ａと金属材質で製作されたバス電極２０２ｂ，２０３ｂとで備えられたスキャン電極２０２，Ｙ及びサステイン電極２０３，Ｚが対をなして備えられることができる。また、透明電極２０２ａ，２０３ａのみで又はバス電極２０２ｂ，２０３ｂのみで形成することもできる。スキャン電極２０２，Ｙ及びサステイン電極２０３，Ｚは、放電電流を制限し、電極対間を絶縁させる１つ以上の上部誘電体層２０４により覆われ、上部誘電体層２０４の上面には、放電条件を容易にするために、一例として、酸化マグネシウム（ＭｇＯ）を蒸着した保護層２０５が形成される
【００５７】
後面パネル２１０は、一例として、複数の放電空間すなわち、放電セルを形成させるためのウェルタイプの隔壁すなわち、横隔壁部（図示せず）と縦隔壁部２１２とが１つの単位放電セルを区画するように形成される。また、アドレス放電を行って真空紫外線を発生させる複数のデータ電極２１３，Ｘが、縦隔壁部２１２に対して平行に配置される。
【００５８】
後面パネル２１０の上側面には、アドレス放電の際の画像表示のための可視光線を放出するＲ，Ｇ，Ｂ型光体２１４が塗布される。データ電極２１３，Ｘと蛍光体２１４との間には、データ電極２１３，Ｘを保護するための下部誘電体層２１５が形成される。
【００５９】
このように形成された前面パネル２００と後面パネル２１０とが、シーリング工程により合着してプラズマディスプレイパネルが形成される。そして、このようなプラズマディスプレイパネルには、複数の電極、例えばスキャン電極２０２，Ｙ、サステイン電極２０３，Ｚ及びデータ電極２１３，Ｘ等の電極を駆動するための駆動部などが付着されてプラズマディスプレイ装置をなす。
【００６０】
このような本発明のプラズマディスプレイ装置を駆動する方式について説明すれば、以下の図３の通りである。
【００６１】
同図は、本発明のプラズマディスプレイ装置の画像階調を具現する方法の一例を示す図である。
【００６２】
同図に示すように、プラズマディスプレイパネルに画像を具現させるために、本発明のプラズマディスプレイ装置は、１フレームを複数のサブフィールドに分けて駆動できる。例えば、各サブフィールドを全てのセルを初期化させるためのリセット期間、放電されるセルを選択するためのアドレス期間及び放電回数によって階調を具現するサステイン期間に分けて駆動できる。
【００６３】
例えば、２５６階調で画像を表示しよとする場合に、１／６０秒に該当するフレーム期間（１６．６７ｍｓ）は、複数、一例として、８個のサブフィールドＳＦ１〜ＳＦ８に分けられる。８個のサブフィールドＳＦ１〜ＳＦ８それぞれは、上述したように、リセット期間ＲＰ、アドレス期間ＡＰ及びサステイン期間ＳＰに分けられる。このとき、各サブフィールドのリセット期間ＲＰ及びアドレス期間ＡＰは、各サブフィールドごとに同じであるが、これに対しサステイン期間とそれに割り当てられるサステインパルスの数は変わることができる。一例として、各サブフィールドにおいて２ｎ（ｎ＝０，１，２，３，４，５，６，７）の割合で増加されて、階調表現をすることができる。
【００６４】
図４は、本発明のプラズマディスプレイパネルの駆動波形の一例を示す図である。
【００６５】
同図に示すように、プラズマディスプレイパネルは、全てのセルを初期化させるためのリセット期間、放電するセルを選択するためのアドレス期間、選択されたセルの放電を維持させるためのサステイン期間に分けられて駆動される。
【００６６】
リセット期間において、セットアップ期間には、スキャン電極Ｙラインに高圧の上昇ランプ波形Ｒａｍｐ−ｕｐが同時に印加される。この上昇ランプ波形Ｒａｍｐ−ｕｐにより、全画面のセル内には、微弱な放電（セットアップ放電）が起きるようになって、セル内に壁電荷が生成される。
【００６７】
セットダウン期間には、下降ランプ波形Ｒａｍｐ−ｄｏｗｎがスキャン電極Ｙラインに同時に印加される。この下降ランプ波形Ｒａｍｐ−ｄｏｗｎは、セル内に微弱な消去放電を起こすことによって、セットアップ放電により生成された過度に蓄積された放電セルの壁電荷を均一にする。
【００６８】
アドレス期間には、スキャン電圧−Ｖｙを有するスキャンパルスＳｃａｎがスキャン電極Ｙラインに印加されると同時に、データ電極Ｘラインにデータパルスｄａｔａが印加される。このスキャンパルスＳｃａｎとデータパルスｄａｔａとの電圧差と、リセット期間において生成された壁電圧とが加算されながら、データパルスｄａｔａが印加されるセル内には、アドレス放電が発生する。このようなアドレス放電により選択されたセル内には、壁電荷が生成される。
【００６９】
一方、サステイン電極Ｚラインには、正極性（＋）の電圧が印加されて、スキャン電極Ｙと放電を起こさない分の電圧を維持する。
【００７０】
サステイン期間には、スキャン電極Ｙとサステイン電極Ｚに交互にサステインパルスｓｕｓが印加されて、サステイン放電が発生する。
【００７１】
以下、図面を参照して本発明の実施の形態に係るプラズマディスプレイ装置及びその駆動方法を説明する。
【００７２】
図５は、本発明の一実施の形態に係るプラズマディスプレイ装置のデータ駆動部のブロック図である。
【００７３】
同図は、本発明の一実施の形態に係るプラズマディスプレイ装置のデータ駆動部のブロック図である。データ駆動部は、パネルのデータ電極に制御信号を供給するコントローラー５００と、コントローラー５００から出力される制御信号に応じて、スイッチング素子Ｑｕ，Ｑｄをオン・オフさせてパネルのデータ電極に出力されるパルスを制御する駆動信号出力部５３０例えば、データ電極駆動ＩＣからなる駆動信号出力部５３０を備え、アドレス区間においてデータ書き込みをするためのパルスが印加される区間の間、前記データ電極駆動ＩＣの基準電位を流動させ得る駆動手段例えば、信号制御部及び電圧制御部５１０，５２０を備える。
【００７４】
このような信号制御部及び電圧制御部５１０，５２０は、データ電極駆動ＩＣの基準電位を基底電位（ＧＮＤ）より高い電圧レベルで流動させて、ＩＣ内部スイッチング素子がスイッチング動作を行う際、そのスイング幅を減少させ得るようにする。例えば、アドレス期間においてデータ電極に印加させるデータパルスを基底電圧レベルより高い第１電圧と、第１電圧レベルより高い第２電圧との和に上昇させる。すなわち、データ電極に基底電圧レベルより高い第１電圧を供給して、第１電圧レベルより高い第２電圧を供給してデータパルスを供給することである。このとき、データ電極駆動ＩＣに供給される基準電位は、基底電圧よりは高く、データ電極駆動電圧Ｖａよりは低い電圧、例えば中間レベルの電圧Ｖａ／２又は所定のＶａｍを供給することで、ＩＣ内部のスイッチング素子のスイング電圧変化の幅を従来の０［Ｖ｝〜Ｖａ［Ｖ］からＶａ／２［Ｖ］〜Ｖａ［Ｖ］に減少させることができるようにする。このようにデータ駆動部にかかる電圧を低くして、低電圧駆動が可能となり、かつ、回路動作を安定化できる。
【００７５】
信号制御部５１０は、駆動信号出力部５３０の基準電位を流動させ得るパルスを駆動信号出力部５３０に提供し、電圧制御部５２０は、信号制御部５１０から駆動信号出力部５３０に供給されるパルスの出力を制御する。
【００７６】
このようなデータ駆動部の様々な実施の形態を以後の図面を参照して詳細に説明する。
【００７７】
図６ａは、本発明の第１の実施の形態に係るデータ駆動部を説明するための図である。
【００７８】
同図に示すように、本発明の第１の実施の形態に係るデータ駆動部は、第２電圧供給部６１０、電圧供給制御部６２０及びエネルギー格納部６４０を備えることができる。また、基底電圧供給部６３０及び駆動信号出力部６００をさらに備えることができる。
【００７９】
第２電圧供給部６１０は、データ電極に第２電圧例えば、データ電圧Ｖａを供給する。
【００８０】
電圧供給制御部６２０は、第２電圧供給部６１０とデータ電極との間に形成されて、第２電圧及び基底電圧の供給を制御する。電圧供給制御部６２０は、直列接続した第１スイッチ部Ｑ１及び第２スイッチ部Ｑ２を備えることができる。
【００８１】
エネルギー格納部６４０は、第２電圧供給部６１０が供給する第２電圧を分圧して格納する。例えば、基底レベルより高く、かつ第２電圧Ｖａレベルより低い電圧のうち、半分の電圧Ｖａ／２を格納することができる。エネルギー格納部６４０は、直列接続した第１エネルギー格納部Ｃ１及び第２エネルギー格納部Ｃ２を備える。
【００８２】
駆動信号出力部６００は、第２電圧供給部６１０及びエネルギー格納部６４０が供給する電圧を所定のスイッチング動作を介して前記データ電極に出力する。
【００８３】
基底電圧供給部６３０は、電圧供給制御部６２０及びエネルギー格納部６４０と接続して、データ電極に基底電圧を供給する。
【００８４】
図６ａの本発明の第１の実施の形態の回路接続関係を説明すれば、第２電圧供給部６１０は、第１スイッチ部Ｑ１の一端、第１エネルギー格納部Ｃ１の一端及び駆動信号出力部６００の一端に共通接続し、基底電圧供給部６３０は、第１スイッチＱ１の他端、第２スイッチＱ２の一端及び第２エネルギー格納部Ｃ２の他端と共通接続し、駆動信号出力部６００の他端は、第２スイッチＱ２の他端、第１エネルギー格納部Ｃ１の他端及び第２エネルギー格納部Ｃ２の一端と共通接続する。
【００８５】
第１スイッチ部Ｑ１がターンオンすれば、データ電極に第１電圧例えば、データ電圧の半分の電圧Ｖａ／２が供給され、第２電圧すなわち、データ電圧Ｖａが供給される。以後、第２スイッチ部Ｑ２がターンオンすれば、データ電極に基底電圧が供給される。
【００８６】
このとき、第１スイッチ部Ｑ１がターンオンする際には、駆動信号出力部６００の一端すなわち、駆動信号出力部６００のＱｕスイッチ側に第２電圧が供給され、駆動信号出力部６００の他端すなわち、駆動信号出力部６００のＱｄスイッチ側には、第１電圧例えば、データ電圧の半分の電圧Ｖａ／２が供給されて、駆動信号出力部にかかる電圧がＶａ−Ｖａ／２に低くなる。この場合、従来の電圧より低い電圧Ｖａ／２以下に駆動することが可能なため、本発明の第１の実施の形態による消費電力は、従来の回路による消費電力の１／４となり、駆動効率を向上させることができる。また、駆動信号出力部すなわち、データ電極駆動ＩＣの電流は、従来より半分に近く減らすことができ、それにより、発熱と関わる問題も解決してヒートシンク（ｈｅａｔ  ｓｉｎｋ）が必要なくなる。このように、低電圧、低電力駆動で回路素子を保護し、低い耐圧の素子も使用できるため、費用も低減することができる。
【００８７】
図６ｂは、本発明の第２の実施の形態に係るデータ駆動部を説明するための図である。
【００８８】
同図に示すように、本発明の第２の実施の形態に係るデータ駆動部は、第２電圧供給部６１１、電圧供給制御部６２１及びエネルギー格納部６４１を備えることができる。また、基底電圧供給部６３１及び駆動信号出力部６０１をさらに備えることができる。
【００８９】
第２電圧供給部６１１は、データ電極に第２電圧例えば、データ電圧Ｖａを供給する。
【００９０】
電圧供給制御部６２１は、第２電圧供給部６１１とデータ電極との間に形成されて、第２電圧及び基底電圧の供給を制御する。電圧供給制御部６２１は、直列接続した第３スイッチ部Ｑ３及び第４スイッチ部Ｑ４を備えることができる。
【００９１】
エネルギー格納部６４１は、第２電圧供給部６１１が供給する第２電圧を分圧して格納する。例えば、基底レベルより高く、かつ第２電圧Ｖａレベルより低い電圧のうち、半分の電圧Ｖａ／２を格納することができる。エネルギー格納部６４１は、直列接続した第３エネルギー格納部Ｃ３及び第４エネルギー格納部Ｃ４を備える。
【００９２】
駆動信号出力部６０１は、第２電圧供給部６１１及びエネルギー格納部６４１が供給する電圧を所定のスイッチング動作を介して前記データ電極に出力する。
【００９３】
基底電圧供給部６３１は、電圧供給制御部６２１及びエネルギー格納部６４１と接続し、データ電極に基底電圧を供給する。
【００９４】
同図の本発明の第２の実施の形態の回路接続関係を説明すれば、第２電圧供給部６１１は、第３エネルギー格納部Ｃ３の一端及び駆動信号出力部６０１の一端に共通接続し、基底電圧供給部６３１は、第４スイッチ部Ｑ４の他端及び第４エネルギー格納部Ｃ４の他端と共通接続し、駆動信号出力部６０１の他端は、第３スイッチ部Ｑ３の他端及び第４スイッチ部Ｑ４の一端と共通接続する。
【００９５】
第３スイッチ部Ｑ３がターンオンすれば、データ電極に第１電圧例えば、データ電圧の半分の電圧Ｖａ／２が供給され、第２電圧すなわち、データ電圧Ｖａが供給される。以後、第４スイッチ部Ｑ４がターンオンすれば、データ電極に基底電圧が供給される。
【００９６】
このとき、第３スイッチ部Ｑ３がターンオンする際には、駆動信号出力部６０１の一端すなわち、駆動信号出力部６０１のＱｕスイッチ側に第２電圧が供給され、駆動信号出力部６０１の他端すなわち、駆動信号出力部６０１のＱｄスイッチ側には、第１電圧例えば、データ電圧の半分の電圧Ｖａ／２が供給されて駆動信号出力部にかかる電圧がＶａ−Ｖａ／２に低くなる。
【００９７】
このように低電圧駆動により消費電力を低減させ、回路素子を保護することができる。また、回路動作の安定性を向上させることができる。
【００９８】
図６ｃは、図６ａ及び図６ｂのデータ駆動部の出力波形及び動作タイミング図である
【００９９】
同図に示すように、図６ａの第１の実施の形態における第１スイッチ部Ｑ１又は図６ｂの第２の実施の形態における第３スイッチ部Ｑ３がターンオンすれば、データ電極に第１電圧例えば、データ電圧の半分の電圧Ｖａ／２が供給され、第２電圧すなわち、データ電圧Ｖａが供給される。すなわち、同図に示すように、データパルスが第１電圧Ｖａ／２と第２電圧Ｖａとの和に上昇する。つまり、第１電圧Ｖａ／２と第２電圧Ｖａとを同時に印加して、データパルスを第２電圧まで上昇させる。
本実施形態では、データパルスとして第１電圧を供給した後、第１電圧Ｖａ／２と第２電圧Ｖａとを同時に供給することにより、データパルスは、第１電圧まで上昇した後に第２電圧まで上昇する。
以後、図６ａの第１の実施の形態における第２スイッチ部Ｑ２又は図６ｂの第２の実施の形態での第４スイッチ部Ｑ４がターンオンすれば、データ電極に基底電圧が供給される。
【０１００】
図７ａは、本発明の第３の実施の形態に係るデータ駆動部を説明するための図である。
【０１０１】
同図に示すように、本発明の第３の実施の形態に係るデータ駆動部は、第１電圧供給部７１０、第２電圧供給部７２０及び電圧供給制御部７３０を備えることができる。また、基底電圧供給部７４０及び駆動信号出力部７００をさらに備えることができる。
【０１０２】
第１電圧供給部７１０は、データ電極に第１電圧Ｖａｍを供給する。
【０１０３】
第２電圧供給部７２０は、データ電極に第２電圧例えば、データ電圧Ｖａを供給する。
【０１０４】
電圧供給制御部７３０は、第１電圧供給部７１０と第２電圧供給部７２０との間に形成されて、第１電圧、第２電圧及び基底電圧の供給を制御する。電圧供給制御部７３０は、直列接続した第５スイッチ部Ｑ５、第６スイッチ部Ｑ６及び第７スイッチ部Ｑ７を備えることができる。
【０１０５】
駆動信号出力部７００は、第１電圧供給部７１０及び第２電圧供給部７２０が供給する電圧を所定のスイッチング動作を介してデータ電極に出力する。
【０１０６】
基底電圧供給部７４０は、電圧供給制御部７３０に接続してデータ電極に基底電圧を供給する。
【０１０７】
同図の本発明の第３の実施の形態の回路接続関係を説明すれば、第２電圧供給部７２０は、第５スイッチ部Ｑ５の一端及び駆動信号出力部７００の一端に共通接続し、基底電圧供給部７４０は、第５スイッチＱ５の他端及び第６スイッチＱ６の一端と共通接続し、駆動信号出力部７００の他端は、第６スイッチＱ６の他端及び第７スイッチ部Ｑ７の一端と共通接続し、第１電圧供給部７１０は、第７スイッチ部Ｑ７の他端と接続する。
【０１０８】
第５スイッチ部Ｑ５及び第７スイッチ部Ｑ７がターンオンすれば、第１電圧供給部７１０からデータ電極に第１電圧Ｖａｍが供給され、第２電圧供給部７２０からデータ電極に第２電圧すなわち、データ電圧Ｖａが供給される。以後、第６スイッチ部Ｑ６がターンオンすれば、データ電極に基底電圧が供給される。
【０１０９】
このとき、第５スイッチ部Ｑ５及び第７スイッチ部Ｑ７がターンオンする際には、駆動信号出力部７００の一端すなわち、駆動信号出力部７００のＱｕスイッチ側に第２電圧Ｖａが供給され、駆動信号出力部７００の他端すなわち、駆動信号出力部７００のＱｄスイッチ側には、第１電圧Ｖａｍが供給されて、駆動信号出力部７００にかかる電圧がＶａ−Ｖａｍに低くなる。このように低電圧駆動を可能にして駆動特性を向上させることができる。
【０１１０】
図７ｂは、図７ａのデータ駆動部の出力波形図及び動作タイミング図である。
【０１１１】
同図に示すように、図７ａの第３の実施の形態における第５スイッチ部Ｑ５及び第７スイッチ部Ｑ７がターンオンすれば、データ電極に基底電圧より高く、かつデータ電圧より低い所定の第１電圧Ｖａｍが供給され、第２電圧すなわち、データ電圧Ｖａが供給される。すなわち、同図に示すように、データパルスが第１電圧Ｖａ／２と第２電圧Ｖａとの和に上昇する。つまり、第１電圧Ｖａ／２と第２電圧Ｖａとを同時に印加して、データパルスを第２電圧まで上昇させる。
本実施形態では、データパルスとして第１電圧を供給した後、第１電圧Ｖａ／２と第２電圧Ｖａとを同時に供給することにより、データパルスは、第１電圧まで上昇した後に第２電圧まで上昇する。
以後、図７ａの第３の実施の形態での第６スイッチ部Ｑ６がターンオンすれば、データ電極に基底電圧が供給される。
【０１１２】
以上、説明したように、本発明の実施の形態に係るプラズマディスプレイ装置及びその駆動方法は、データパルスの電圧がデータ電極に供給される経路を分けて、回路素子にかかる電圧を低くすることによって、低電圧で安定した駆動が可能となる。それにより、回路動作の信頼性を向上させ、製造費用を低減することができる。
【０１１３】
一方、これに加えて、プラズマディスプレイ装置の無効電力を回収してデータパルスを供給することによって、消費電力を最小化し、駆動効率を向上させることができるが、これについて図８以下で詳細に説明する。
【０１１４】
図８は、本発明の他の実施の形態に係るプラズマディスプレイ装置のデータ駆動部を説明するための図である。
【０１１５】
同図に示すように、本発明のプラズマディスプレイ装置の構成のうち、データ駆動部において、上述したデータパルスを駆動するための回路の構成を示した。すなわち、データ駆動部は、アドレス期間においてプラズマディスプレイパネルの無効エネルギーを回収して、データ電極Ｘに印加させるデータパルスの電圧レベルを第１電圧レベルと前記第１電圧レベルより高い第２電圧レベルとに段階的に上昇させる。
【０１１６】
このようなデータ駆動部は、エネルギー格納部８１０、第１エネルギー供給回収制御部８２０、第１電圧供給部８３０、第２エネルギー供給回収制御部８４０、第２電圧供給部８５０を備える。また、ここに駆動信号出力部８６０及び基底電圧供給部８７０がさらに備えられることができる。
【０１１７】
エネルギー格納部８１０は、アドレス放電をするためのデータパルスの供給において、プラズマディスプレイパネルの無効エネルギーを回収して格納しておき、この格納されたエネルギーをデータ電極Ｘに供給するエネルギー供給及び回収用キャパシタを備える。ここで、エネルギー供給回収用キャパシタは、同図に示すように、第１エネルギー格納部Ｃ１、第２エネルギー格納部Ｃ２、第３エネルギー格納部Ｃ３で、複数のものが備えられることができる。
【０１１８】
第１エネルギー供給回収制御部８２０は、上記のエネルギー格納部８１０が格納したエネルギーをプラズマディスプレイパネルであるパネル（ｃｐ）とＬＣ共振をなすようにする第１インダクター部Ｌ１及び前記エネルギー格納部が格納したエネルギーの供給を制御する第５スイッチＱ５を備え、第５スイッチＱ５は、一端が第１エネルギー格納部Ｃ１の一端及び第２エネルギー格納部Ｃ２の他端と共通接続し、他端は、第１インダクター部Ｌ１の一端と接続し、第１インダクター部Ｌ１の他端は、第１電圧供給部８３０の第１スイッチＱ１の他端、基底電圧供給部８７０の第７スイッチＱ７の一端及び駆動信号出力部８６０の第３スイッチＱ３の他端と共通接続して、上述したデータパルスを駆動する際、データパルスが第１電圧レベルに上昇する時の上述したエネルギー格納部が格納したエネルギーをプラズマディスプレイパネルであるパネル（ｃｐ）とＬＣ共振をなすようにして、データ電極Ｘに供給され得るように制御する機能を果たす。
【０１１９】
第１電圧供給部８３０は、第１電圧を供給する第１電圧源Ｖ１及び第１電圧の供給を制御する第１スイッチＱ１を備え、第１スイッチＱ１は、一端が第１電圧源Ｖ１、第２エネルギー格納部Ｃ２の一端及び第３エネルギー格納部Ｃ３の他端と共通接続し、他端は、第１インダクター部Ｌ１の他端、第７スイッチＱ７の一端及び駆動信号出力部８６０の第３スイッチＱ３と共通接続して、アドレス期間において前記データ電極Ｘの電圧を第１電圧Ｖ１に維持する機能を果たす。すなわち、一例として、上述した第１エネルギー供給回収制御部８２０がエネルギー格納部８４０が格納したパネルの無効エネルギーをデータ電極Ｘに供給した後、第１電圧供給部８３０がデータ電極Ｘに第１電圧を供給して、データ電極Ｘが第１電圧レベルＶ１を維持するようにすることである。
【０１２０】
第２エネルギー供給回収制御部８４０は、上記のエネルギー格納部８１０が格納したエネルギーをプラズマディスプレイパネルであるパネル（Ｃｐ）とＬＣ共振をなすようにする第２インダクター部Ｌ２及び前記エネルギー格納部が格納したエネルギーの供給を制御する第４スイッチＱ４を備え、第４スイッチＱ４は、一端が第３エネルギー格納部Ｃ３の一端と接続し、他端は、第２インダクター部Ｌ２の一端と接続し、第２インダクター部Ｌ２の他端は、第２電圧供給部８５０の第６スイッチＱ６の他端及び駆動信号出力部８６０の第２スイッチＱ２の一端と共通接続し、上述のデータパルスを駆動する際、データパルスが第１電圧レベルから第２電圧レベルに上昇する時の上述したエネルギー格納部が格納したエネルギーをプラズマディスプレイパネルであるパネル（Ｃｐ）とＬＣ共振をなすようにして、データ電極Ｘに供給され得るように制御する役割をする。
【０１２１】
第２電圧供給部８５０は、第２電圧を供給する第２電圧源Ｖ２及び第２電圧の供給を制御する第６スイッチＱ６を備え、第６スイッチＱ６は、一端が第２電圧源Ｖ２と接続し、他端は、第２インダクター部Ｌ２の他端と駆動信号出力部８６０の第２スイッチＱ２の一端と共通接続して、アドレス期間において前記データ電極の電圧を第２電圧に維持する役割をする。すなわち、一例として、上述した第２エネルギー供給回収制御部５４０がエネルギー格納部Ｃ１，Ｃ２，Ｃ３が格納したパネルの無効エネルギーをデータ電極Ｘに供給した後、第２電圧供給部がデータ電極Ｘに第２電圧を供給することである。
【０１２２】
また、駆動信号出力部８６０は、プッシュプル（Ｐｕｓｈ−Ｐｕｌｌ）形態で接続した第２スイッチＱ２及び第３スイッチＱ３を備え、第２スイッチＱ２の他端と第３スイッチＱ３の一端との間でデータ電極Ｘと接続し、第２スイッチＱ２の一端は、第２電圧供給部５５０の第６スイッチＱ６の他端及び第２エネルギー供給回収制御部８４０の第２インダクター部Ｌ２の他端と共通接続し、前記第３スイッチＱ３の他端は、第１電圧供給部８３０の第１スイッチＱ１の他端、第１エネルギー供給回収制御部８２０の第１インダクター部Ｌ１の他端及び基底電圧供給部８７０と共通接続し、第１エネルギー供給回収制御部８２０、第１電圧供給部８３０、第２エネルギー供給回収制御部８４０及び第２電圧供給部が供給する電圧を所定のスイッチング動作を介してデータ電極Ｘに出力する機能を果たす。
【０１２３】
基底電圧供給部８７０は、基底電圧源及び基底電圧の供給を制御する第７スイッチＱ７を備え、第７スイッチＱ７は、他端が基底電圧源と接続し、一端が第１電圧供給部８３０の第１スイッチＱ１の他端、第１エネルギー供給回収制御部８２０の第１インダクターＬ１の他端及び駆動信号出力部８６０の第３スイッチＱ３の他端と接続して、前記データ電極の電圧をグラウンドレベル（ＧＮＤ）に維持させる機能を果たす。
【０１２４】
このような本発明の他の実施の形態に係るデータ駆動部の回路動作は、以後、図９ａ〜図９ｆを参照して、さらに明確にする。
【０１２５】
図９ａ〜図９ｆは、図８のデータ駆動部の動作順序を示す図であり、図１０は、図８のデータ駆動部の動作に応じるデータパルスを示す図である。
【０１２６】
以下では、データパルスを詳細に示している図１０を、図９ａ〜図９ｆの回路動作順序と関連付けて説明する。
【０１２７】
まず、図９ａに示す経路のように、第１エネルギー格納部Ｃ１に格納されたパネルの無効エネルギーは、第５スイッチＱ５がターンオンすれば、第１インダクター部Ｌ１とプラズマディスプレイパネルの等価キャパシタＣｐとの共振により、第３スイッチＱ３のダイオードを経てデータ電極Ｘに供給される。これは、図１０のデータパルスが第１電圧レベルＶ１の電圧が供給される前のパネルの無効エネルギーを利用して上昇することで、プラズマディスプレイ装置の消費電力を減少させるという効果がある。
【０１２８】
以後、図９ｂに示すように、第５スイッチＱ５がターンオフし、第１スイッチＱ１がターンオンすれば、第１電圧源Ｖ１が第３スイッチＱ３のダイオードを経てデータ電極Ｘに第１電圧レベルの電圧を供給して、図１０のデータパルスが第１電圧レベルＶ１を維持するようにする。
【０１２９】
以後、図９ｃに示すように、第１エネルギー格納部Ｃ１、第２エネルギー格納部Ｃ２、第３エネルギー格納部Ｃ３を介して格納された第３エネルギー格納部Ｃ３のパネルの無効エネルギーは、第４スイッチＱ４がターンオンすれば、第２インダクター部Ｌ２とプラズマディスプレイパネルの等価キャパシタＣｐとの共振により、ターンオン状態の第２スイッチＱ２を経てデータ電極Ｘに供給される。これは、図１０のデータパルスが第２電圧レベルＶ２の電圧が供給される前のパネルの無効エネルギーを利用して上昇することで、プラズマディスプレイ装置の消費電力を減少させるという効果がある。
【０１３０】
このとき、図１０に示したデータパルスが第１電圧レベルＶ１に上昇する区間又は第１電圧レベルＶ１から第２電圧レベルＶ２に上昇する区間のうち、１つの区間のみにエネルギー回収回路部を設置して、パネルの無効エネルギーを回収することにより、消費電力を減少させることも実施可能であり、また、本発明に含まれる概念であるが、さらに好ましくは、上述した二区間全部でエネルギー回収回路を用いて、パネルの無効電力を最大利用して、消費電力をさらに效果的に減少させることができる。すなわち、図８の本発明の他の実施の形態に係るプラズマディスプレイ装置において、第１エネルギー供給回収制御部８２０又は第２エネルギー供給回収制御部８４０のうち、１つのみの構成を有しても、本発明の目的を達成できるものである。
【０１３１】
また、その以後には、図９ｄに示すように、第４スイッチＱ４がターンオフし、第６スイッチＱ６がターンオンすれば、第２電圧源Ｖ２がターンオン状態の第２スイッチＱ２を経てデータ電極Ｘに第２電圧レベルの電圧を供給して、図１０のデータパルスが第２電圧レベルＶ２を維持するようにする。
【０１３２】
この後、図９ｅに示すように、第６スイッチＱ６がターンオフし、第４スイッチＱ４がターンオンすれば、パネルに残っていたエネルギーが第２スイッチＱ２のダイオード及び第２インダクター部を経て、第１エネルギー格納部、第２エネルギー格納部、第３エネルギー格納部に回収される。このような動作の波形は、図１０のデータパルスが第２電圧レベルＶ２から第１電圧レベルＶ１に下降する区間のように現れることができる。
【０１３３】
この後、図１０のデータパルスを第１電圧レベルＶ１から再び下降させる際は、図９ｆに示すように、第４スイッチＱ４をターンオフさせ、第３スイッチＱ３及び第５スイッチＱ５をターンオンして、パネルの残ったエネルギーが第３スイッチＱ３、第１インダクター部Ｌ１、第５スイッチＱ５を経て、第１エネルギー格納部Ｃ１に格納される。この後、最後に、図示していないが、第７スイッチをターンオンさせて、データ電極Ｘを基底電圧レベルに維持させることによって、データパルスの単位動作が完了する。
【０１３４】
このとき、プッシュプル形態で接続された第２スイッチＱ２及び第３スイッチＱ３を備える駆動信号出力部は、回路の動作を所定のスイッチング動作で制御することによって、変位電流が過度に発生して耐電流特性又は耐電圧特性の高い素子を用いなければならなかったが、これは、製造単価を高めるという問題があった。
【０１３５】
これにより、従来と差別的に本発明の実施の形態に係るプラズマディスプレイ装置は、上記の駆動信号出力部すなわち、上述した第２スイッチの一端の位置には、第２電圧Ｖ２例えばデータ電圧が供給され、第３スイッチの他端の位置には、第１電圧Ｖ１例えば基底電圧より大きく、かつデータ電圧より小さな電圧が供給されることによって、結局、第２スイッチの一端と第３スイッチの他端との間にかかる電圧の大きさは、第２電圧と第１電圧との差Ｖ２−Ｖ１であって、従来より小さな電圧がかかるようにすることによって、素子の損傷を減少させ、耐電圧特性の低い素子を用いることが可能となって、製造単価を減少させ得るという効果が発生する。
【０１３６】
このような低電圧駆動は、回路に与える悪影響を減少させることができる。すなわち、一例として、低い電圧の駆動で消費電力を減少させ、また熱問題の被害を最小化して防熱板であるヒートシンクを設置しなくても耐熱性を維持させることができることから、製造単価を大幅減少させることができる。
【０１３７】
特に、前述した本発明のプラズマディスプレイ装置の構成のうち、第１電圧供給部Ｖ１及び第２電圧供給部Ｖ２を統合させると、すなわち、データパルスの半分の電圧の大きさの電圧源で駆動させると、従来のデータパルスの電圧大きさの半分の電圧で駆動できるようになり、その結果、消費電力は、１／４となり、駆動信号出力部に流れる電流も半分となって、回路の損傷を最小化し、駆動特性も安定化させることができる。特に、熱に脆弱な駆動信号出力部において、本発明の低電圧駆動は有用に作用する。
【０１３８】
また、このような低電圧駆動は、蛍光体など、放電特性に影響を及ぼす因子に与える影響を減らして、前記放電特性に影響を及ぼす因子の固着現象を防止できる。すなわち、例えば、同じ個数の駆動パルスを印加しても低電圧で駆動することで、放電特性に影響を及ぼす因子の固着化を減らし、前の映像の画面が固着化して、次の映像に現れる固着残像の現象を防止できるものである。その結果、画像の品質が向上したプラズマディスプレイ装置を提供できる。
【０１３９】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１４０】
【図１】本発明のプラズマディスプレイ装置の一例を示す図である。
【図２】本発明のプラズマディスプレイパネル構造の一例を示す図である。
【図３】本発明のプラズマディスプレイパネルの画像階調を具現する方法の一例を示す図である。
【図４】本発明のプラズマディスプレイパネルの駆動波形の一例を示す図である。
【図５】本発明の一実施の形態に係るプラズマディスプレイ装置のデータ駆動部のブロック図である。
【図６ａ】本発明の第１の実施の形態に係るデータ駆動部を説明するための図である。
【図６ｂ】本発明の第２の実施の形態に係るデータ駆動部を説明するための図である。
【図６ｃ】図６ａ及び図６ｂのデータ駆動部の出力波形及び動作タイミング図である。
【図７ａ】本発明の第３の実施の形態に係るデータ駆動部を説明するための図である。
【図７ｂ】図７ａのデータ駆動部の出力波形及び動作タイミング図である。
【図８】本発明の他の実施の形態に係るプラズマディスプレイ装置のデータ駆動部を説明するための図である。
【図９ａ】図８のデータ駆動部の動作順序を示す図である。
【図９ｂ】図８のデータ駆動部の動作順序を示す図である。
【図９ｃ】図８のデータ駆動部の動作順序を示す図である。
【図９ｄ】図８のデータ駆動部の動作順序を示す図である。
【図９ｅ】図８のデータ駆動部の動作順序を示す図である。
【図９ｆ】図８のデータ駆動部の動作順序を示す図である。
【図１０】図８のデータ駆動部の動作に応じるデータパルスを示す図である。
【図１】
2007072472.tif 000003
【図２】
2007072472.tif 000004
【図３】
2007072472.tif 000005
【図４】
2007072472.tif 000006
【図５】
2007072472.tif 000007
【図６ａ】
2007072472.tif 000008
【図６ｂ】
2007072472.tif 000009
【図６ｃ】
2007072472.tif 000010
【図７ａ】
2007072472.tif 000011
【図７ｂ】
2007072472.tif 000012
【図８】
2007072472.tif 000013
【図９ａ】
2007072472.tif 000014
【図９ｂ】
2007072472.tif 000015
【図９ｃ】
2007072472.tif 000016
【図９ｄ】
2007072472.tif 000017
【図９ｅ】
2007072472.tif 000018
【図９ｆ】
2007072472.tif 000019
【図１０】
2007072472.tif 000020